(57)【特許請求の範囲】
【請求項１】
排水管の排水口を覆う合成樹脂製の蓋本体部と、この蓋本体部の裏面の中心位置から裏側方向に延ばされている脚部とで形成され、上記の蓋本体部に排水の流通孔が形成され、上記の脚部が排水口に差し込まれて取り付けられる排水蓋であって、上記の蓋本体部の裏面に、蓋本体部の一部を切り取って横向き状の排水口を覆う大きさに形成するための薄肉部が、蓋本体部の外周上の２点を結ぶ直線上に形成されていることを特徴とする排水蓋。
【請求項２】
請求項１記載の排水蓋であって、脚部が、蓋本体部の裏面の中央位置から裏側方向に延びる１本の軸と、この軸の開放状の先端に、板面を上下方向に向けて横向きに且つ軸を中心に左右対称状に取り付けられている可撓性の帯板とで形成され、この帯板の中央部の板面に、軸を挟んで補強用のリブが平行一対状に形成され、このリブの形成されている箇所より先の帯板の両側をＵ字状に撓ませて排水口に差し込み、帯板の復元力で排水口の内壁に密着自在に形成されていることを特徴とする排水蓋。
【請求項３】
請求項２記載の排水蓋であって、帯板の上面の両端部に、排水管の内壁の段差部と係合する抜脱防止用の爪が形成されていることを特徴とする排水蓋。
【発明の詳細な説明】
【技術分野】
【０００１】
本発明は排水蓋に関し、更に詳しくはベランダや屋上等の排水管の排水口に取り付けて使用する排水蓋に関するものである。
【背景技術】
【０００２】
従来この種の排水蓋としては、排水口を覆う蓋本体が、排水口の大きさに合わせて、その外径を調節できるよう、蓋本体の外周部に排水口の大きさに合わせて切り離し可能な同心円状の溝が形成されているものがある（例えば特許文献１参照）。
【０００３】
ところで従来、建物のベランダ等に設けられている排水口は、床面に上面開口状に形成されている場合と、側壁の下部に、側方に開口状に形成されている場合とがある。
後者の場合は、排水口の下縁が、通常、床面と同じ高さに位置決めされるため、この種の排水口に取り付ける排水蓋は、図１０に示されるように、排水蓋の下部が床面に当接して安定的に取り付けできるよう直線状に形成されるのが通例である。
従って従来、この種の排水蓋は、床面用のものと、排水口が横向きに開口する側壁用のものとの、二種類が必要であった。
そのため従来は、例えば金型が二種類必要になり、保管上もスペースを要し、また排水口の向きに適合するタイプでないと取り付け作業ができず、その結果作業性や、使い勝手が悪い、という問題点があった。
而して特許文献１に記載の従来品は、排水口の大きさに合わせて蓋本体の大きさを調節するものである。従ってこれによっては、横向きの排水口に、蓋本体部を床面に密接させて取り付けることができなかった。
【特許文献１】特開２００１−３１１１９８号公報
【発明の開示】
【発明が解決しようとする課題】
【０００４】
本発明は、このような従来の問題点に鑑み、提案されたものである。
従って本発明の解決しようとする技術的課題は、排水口の向きに制約を受けることなく、排水口が横向きでも一種類で対応できるようにし、これによって製造コストや保管コストの低廉化、作業の容易化、迅速化、確実化を図ることができるよう形成した、使い勝手の良い排水蓋を提供することにある。
【課題を解決するための手段】
【０００５】
本発明は、上記の課題を解決するため、次のような技術的手段を採る。
即ち本発明は、図１等に示されるように、排水管１の排水口１ａを覆う合成樹脂製の蓋本体部２と、この蓋本体部２の裏面の中心位置から裏側方向に延ばされている脚部３とで形成され、上記の蓋本体部２に排水の流通孔２ａが形成され、上記の脚部３が排水口１ａに差し込まれて取り付けられる排水蓋であって、上記の蓋本体部２の裏面に、蓋本体部２の一部を切り取って横向き状の排水口１ａを覆う大きさに形成するための薄肉部６が、蓋本体部２の外周上の２点を結ぶ直線Ｌ上に形成されていることを特徴とする（請求項１）。
【０００６】
ここで、横向き状の排水口１ａを覆う大きさ、とは、切り取られた残りの蓋本体部２が、横向き状の排水口１ａに差し込む脚部３を備えて排水口１ａの直径より大きく形成されている、ということを意味する。また薄肉部６が、蓋本体部２の外周上の２点を結ぶ直線Ｌ上に形成されている、とは、切り取られた箇所が直線状に形成され、蓋本体部２の下部が床面７に安定的な姿勢で当接するよう形成されている、ということを意味する。薄肉部６としては、例えば断面凹溝状やＶ字状に形成されるものがある。薄肉部６は、蓋本体部２が図１等に示されるように、縦横の桟２ｂで格子状に形成され、桟２ｂの間が排水の流通孔２ａに形成されている場合は、桟２ｂや、桟２ｂの取り付けられている外周枠２ｃの裏面に形成される。また排水の流通孔２ａが、蓋本体部２の上面に形成されず、蓋本体部２の周側面に形成されている場合は、薄肉部６は、蓋本体部２の裏面に連続した直線状、或いは点線状に形成される。
【０００７】
而して本発明の場合、上記の脚部３は、蓋本体部２の裏面の中央位置から裏側方向に延びる１本の軸３ａと、この軸３ａの開放状の先端に、板面を上下方向に向けて横向きに且つ軸３ａを中心に左右対称状に取り付けられている可撓性の帯板３ｂとで形成され、この帯板３ｂの中央部の板面に、軸３ａを挟んで補強用のリブ４が平行一対状に形成され、このリブ４の形成されている箇所より先の帯板３ｂの両側をＵ字状に撓ませて排水口１ａに差し込み、帯板３ｂの復元力で排水口１ａの内壁に密着自在に形成されているのが好ましい（請求項２）。
なぜならこれによると、排水管１への取付作業を簡単化できるだけではなく、リブ４によって帯板３ｂの中央部の補強と、帯板３ｂの両側の復元力を増大でき、帯板３ｂを合成樹脂材で形成して低コスト化、軽量化できるからである。
【０００８】
また請求項２記載の本発明の場合は、図２、図５等に示されるように、帯板３ｂの上面の両端部に、排水管１の内壁の段差部１ｂと係合する抜脱防止用の爪５が形成されているのが好ましい（請求項３）。
なぜならこれによると、排水口１ａから外れたり、脱落することを、簡単且つ低コストで、確実に防止できるからである。
【発明の効果】
【０００９】
本発明は、このように排水管の排水口を覆う蓋本体部の裏面に、蓋本体部の一部を切り取って横向き状の排水口を覆う大きさに形成するための薄肉部が、蓋本体部の外周上の２点を結ぶ直線上に形成されているものである。
従って本発明の場合は、排水口が横向きでも、一種類で対応でき、金型が一種類で済む分、製造コストを低廉化でき、製品を安価に提供できる。また本発明は、現場で排水口の向きに合わせて薄肉部から蓋本体部の一部を切り取って対応できるから、これによれば排水口の覆い作業を容易化、迅速化でき、排水口の向きに制約を受けることなく、確実に施工できる。
【発明を実施するための最良の形態】
【００１０】
以下、本発明を実施するための最良の形態を説明する。
図１等に示されるように、本発明は、排水管１の排水口１ａを覆う合成樹脂製の蓋本体部２と、この蓋本体部２の裏面の中心位置から裏側方向に延ばされている脚部３とで形成され、上記の蓋本体部２に排水の流通孔２ａが形成され、上記の脚部３が排水口１ａに差し込まれるよう形成されている。
【００１１】
上記の蓋本体部２は、平面視で四隅が面取りされた四角形状に形成されている。また蓋本体部２は、帯片状の桟２ｂが縦横に格子状に形成され、この桟２ｂの間の開口が排水の流通孔２ａに形成されている。桟２ｂと、外周を形作る外周枠２ｃとは、ポリプロピレン等の合成樹脂材で一体状に成形されている。
【００１２】
上記の脚部３は、図２等に示されるように、蓋本体部２の裏面の中央位置から裏側方向に延びる１本の軸３ａと、この軸３ａの開放状の先端に、板面を上下方向に向けて横向きに且つ軸３ａを中心に左右対称状に取り付けられている可撓性の帯板３ｂとで形成されている。この脚部３は、蓋本体部２と共に、ポリプロピレン等の合成樹脂材で成形され、蓋本体部２と軸３ａとは一体成形され、軸３ａと帯板３ｂとは後加工により連結されている。
【００１３】
４は、補強用のリブである。このリブ４は、帯板３ｂの中央部の、この実施形態では上側の板面に、軸３ａを挟んで板面の両側に平行一対状に、一体成形されている。本発明品は、このリブ４の形成されている箇所より先の帯板３ｂの両側をＵ字状に撓ませて排水口１ａに差し込み、帯板３ｂの復元力で排水口１ａの内壁に密着されるものである。
【００１４】
またこの実施形態に係る本発明品は、帯板３ｂの上面の両端部に、排水管１の内壁の段差部１ｂ（図５参照）と係合する抜脱防止用の爪５が形成されている。段差部１ｂは、この実施形態では排水管１同士を嵌挿したときに生じる連結箇所で形成されている。本発明品では、この爪５が排水管１の内壁の段差部１ｂに係合することにより、排水口１ａから外れたり、脱落することが防止される。
【００１５】
６（図１Ｂ参照）は、蓋本体部２の一部を切り取って横向き状の排水口１ａを覆う大きさに形成するための薄肉部である。この薄肉部６は、蓋本体部２の裏面に、蓋本体部２の外周上の２点を結ぶ直線Ｌ上に、この実施形態では桟２ｂと外周枠２ｃの裏面に、断面凹溝状に形成されている。
【００１６】
次に本発明の使用例を説明する。
先ず、排水口１ａが、図１Ａ、図５、図６に示されるように、ベランダ等の床面７に、上向き状に形成されている場合は、帯板３ｂの両側を作業者は手指でＵ字形に撓ませ、この帯板３ｂを排水口１ａに差し込む。この場合、帯板３ｂの両端部は、排水管１の段差部１ｂより深く差し込まれる。
【００１７】
そして帯板３ｂから手指が離されると、帯板３ｂは、排水管１内で復元し、両端部が外側に広がって排水管１の内壁を当圧する。従ってこれにより本発明品は、帯板３ｂの両端部が排水管１の内壁を圧して排水口１ａに装着される。またこの場合、この実施形態では爪５が段差部１ｂに係合するため、抜脱が確実に防止される。
【００１８】
次に排水口１ａが図７〜図１０に示されるように、ベランダ等の側壁８の下部に、側方に開口して横向き状に形成されている場合について説明する。
この場合は、蓋本体部２に形成されている薄肉部６を利用して、作業者は、先ず蓋本体部２の一部を切り離し、横向き状の排水口１ａを覆う大きさに蓋本体部２を形成する。この切り離し操作は、手指の力、或いは薄肉部６に鋏やカッターを入れることにより行う。次に作業者は、蓋本体部２の直線状の切り離し箇所を床面７に付け、脚部３を排水口１ａに、上例と同様の操作で差し込み、装着する。本発明は、このように蓋本体部２の一部が、直線的に切り取り可能に形成されているから、排水口１ａが横向きでも、一種類で対応できるものである。
【図面の簡単な説明】
【００１９】
【図１】本発明の排水蓋の好適な一実施形態を示し、Ａは取付時の要部斜視図、Ｂは底面図である。
【図２】同上排水蓋の正面図である。
【図３】同上排水蓋の平面図である。
【図４】同上排水蓋の取付時の平面図である。
【図５】図４のＶ−Ｖ線における要部断面図である。
【図６】同上排水蓋の取付時の要部斜視図である。
【図７】同上排水蓋の他の取付時の要部斜視図である。
【図８】図７の取付時の要部正面図である。
【図９】図８のＩＸ−ＩＸ線における要部断面図である。
【図１０】図７の取付時の要部斜視図である。
【符号の説明】
【００２０】
１      排水管
１ａ    排水口
２      蓋本体部
２ａ    排水の流通孔
３      脚部
６      薄肉部
Ｌ      外周上の２点を結ぶ直線
【図１】
0004682292.tif 000002
【図２】
0004682292.tif 000003
【図３】
0004682292.tif 000004
【図４】
0004682292.tif 000005
【図５】
0004682292.tif 000006
【図６】
0004682292.tif 000007
【図７】
0004682292.tif 000008
【図８】
0004682292.tif 000009
【図９】
0004682292.tif 000010
【図１０】
0004682292.tif 000011